(57)【要約】【課題】需要者の所有欲を鼓吹させ、興味誘発による教育成果の向上と情緒涵養、及び心身安定による精神治療などに積極的に対応することができるようにした、教育及び遊戯の機能を持つ多機能セラピー装置を提供する。【解決手段】映像と音を出力するプログラムエンジンと、駆動用電源を供給する電源供給部を内蔵した胴体とを含む装置に使用するために、前記胴体の一側に着脱可能に装着される資料格納部；前記胴体の他側に全方向への角度調節可能に装着される映像表示部；及び前記映像表示部と資料格納部との間に装着される音出力部を含んでなる。【選択図】  図１
2010264240.tif 000002
【特許請求の範囲】
【請求項１】
映像と音を出力するプログラムエンジン４１０と駆動用電源を供給する電源供給部４２０とを内蔵した胴体４００でなる装置において、
前記胴体４００の一側に着脱可能に装着され、前記プログラムエンジン４１０に電気的に連結され、外部からダウンロードした映像及び音出力用の資料を一時保存する資料格納部１００；
前記胴体４００の他側に全方向への角度調節可能に装着され、前記プログラムエンジン４１０に電気的に連結され、前記資料格納部１００の映像出力用資料によって前記プログラムエンジン４１０で映像を出力する映像表示部２００；及び
前記資料格納部１００と映像表示部２００との間に装着され、前記プログラムエンジン４１０に電気的に連結され、前記資料格納部１００の音出力用資料によって前記プログラムエンジン４１０で音を出力する音出力部３００；を含んでなり、
前記映像表示部２００及び音出力部３００は別個にまたは同時に稼動されることを特徴とする、教育及び遊戯の機能を持つ多機能セラピー装置。
【請求項２】
前記資料格納部１００と映像表示部２００間の両側には、
前記プログラムエンジン４１０に電気的に連結され、前記映像表示部２００から出力される映像の明暗と、前記音出力部３００から出力される音の高低をそれぞれ調節することができ、前記電源供給部４２０を含む胴体４００のプログラムエンジン４１０の種類をそれぞれ選択することができる調節選択部５００をさらに備えることを特徴とする、請求項１に記載の教育及び遊戯の機能を持つ多機能セラピー装置。
【請求項３】
前記調節選択部５００は、
前記資料格納部１００と映像表示部２００間の一側に回転可能に装着され、前記映像表示部２００から出力される映像の明暗と、前記音出力部３００から出力される音の高低を調節する調節スイッチ５１０と、
前記資料格納部１００と映像表示部２００間の他側に回転可能に装着され、前記電源供給部４２０を含む胴体４００のプログラムエンジン４１０の種類を選択するかあるいは電源をオンまたはオフする選択スイッチ５２０とを含んでなることを特徴とする、請求項２に記載の教育及び遊戯の機能を持つ多機能セラピー装置。
【請求項４】
前記胴体４００は、
前記電源供給部４２０を含む胴体４００に回動可能に結合される頭部４３０をさらに備え、
前記頭部４３０の端部には前記映像表示部２００が装着され、
前記頭部４３０の両側に前記調節選択部５００が装着されることを特徴とする、請求項１〜３のいずれか１項に記載の教育及び遊戯の機能を持つ多機能セラピー装置。
【請求項５】
前記頭部４３０は、
下側に突設された首４３２の端部に、前記胴体４００に回動可能に結合される球形ジョイント４３４をさらに備えることを特徴とする、請求項４に記載の教育及び遊戯の機能を持つ多機能セラピー装置。
【請求項６】
前記資料格納部１００は、
外部器機または前記胴体４００のプログラムエンジン４１０に電気的に連結される連結片１１０と、
前記連結片１１０に電気的に連結され、ダウンロードした映像及び音出力用の資料を一時保存する格納本体１２０とを含んでなることを特徴とする、請求項１〜３のいずれか１項に記載の教育及び遊戯の機能を持つ多機能セラピー装置。
【請求項７】
前記連結片１１０は、
ＵＳＢ方式、ＲＦＩＤ方式、赤外線無線通信方式またはＳ−ＡＴＡ方式で前記胴体４００または外部器機に連結されることを特徴とする、請求項６に記載の教育及び遊戯の機能を持つ多機能セラピー装置。
【請求項８】
前記格納本体１２０は、
ＵＳＢメモリ、フラッシュメモリまたはハードディスクであることを特徴とする、請求項６に記載の教育及び遊戯の機能を持つ多機能セラピー装置。
【請求項９】
前記映像表示部２００は、
映像を出力するディスプレイパネル２１０と、
前記ディスプレイパネル２１０とプログラムエンジン４１０を電気的に連結し、前記プログラムエンジン４１０の駆動情報を映像信号に変換する映像エンコーダー２２０とを含んでなることを特徴とする、請求項１〜３のいずれか１項に記載の教育及び遊戯の機能を持つ多機能セラピー装置。
【請求項１０】
前記ディスプレイパネル２１０は、
ＲＧＢ ＬＥＤ、ＬＣＤまたはＰＤＰであることを特徴とする、請求項９に記載の教育及び遊戯の機能を持つ多機能セラピー装置。
【請求項１１】
前記音出力部３００は、
前記電源供給部４２０を含む胴体４００に装着され、音を出力するスピーカー３１０と、
前記スピーカー３１０とプログラムエンジン４１０を電気的に連結し、前記プログラムエンジン４１０の駆動情報を音声信号に変換する音声エンコーダー３２０とを含んでなることを特徴とする、請求項１〜３のいずれか１項に記載の教育及び遊戯の機能を持つ多機能セラピー装置。
【請求項１２】
前記胴体４００は、
前記胴体４００の外部に装着されて前記胴体４００を支持し、前記電源供給部４２０に電気的に連結される複数の支持脚４５０をさらに備え、
前記スピーカー３１０は胴体４００の下側に装着されることを特徴とする、請求項１１に記載の教育及び遊戯の機能を持つ多機能セラピー装置。
【請求項１３】
前記支持脚４５０は、
それぞれの端部に備えられ、前記スピーカー３１０が装着された胴体４００の電源供給部４２０に電気的に連結される電極４５２をさらに備えることを特徴とする、請求項１２に記載の教育及び遊戯の機能を持つ多機能セラピー装置。
【請求項１４】
前記胴体４００は、
前記支持脚４５０が挿着される支持凹部６１２が形成され、前記スピーカー３１０と対向する支持本体６１０と、前記支持凹部６１２に設置され、前記電極４５２のそれぞれと接触する充電電極６２０と、前記支持本体６１０に内蔵され、前記充電電極６２０に電気的に連結され、外部電源に連結される充電ユニット６３０とを含んでなる充電ドック６００をさらに備えることを特徴とする、請求項１３に記載の教育及び遊戯の機能を持つ多機能セラピー装置。
【請求項１５】
前記充電ドック６００は、
前記支持本体６１０の上面に、前記スピーカー３１０と対向するように部分球面状に凹んでいる反響ボウル６４０をさらに備えることを特徴とする、請求項１４に記載の教育及び遊戯の機能を持つ多機能セラピー装置。
【請求項１６】
前記胴体４００は、
前記音出力部３００と対向する位置に着脱可能に装着され、多様な香りを発散する香り発散部７００をさらに備えることを特徴とする、請求項１〜３のいずれか１項に記載の教育及び遊戯の機能を持つ多機能セラピー装置。
【請求項１７】
前記香り発散部７００は、
前記胴体４００に形成された定着凹部４６０と結合し、内部空間が形成された発散容器７１０と、
前記発散容器７１０に交替可能に収容され、昇華しながら香りを発散する香り発散片７２０と、
前記発散容器７１０の上端部に着脱可能に結合され、前記発散容器７１０を仕上げ、多数の発散スリット７３２が貫設されたカバー７３０とを含んでなることを特徴とする、請求項１６に記載の教育及び遊戯の機能を持つ多機能セラピー装置。
【請求項１８】
前記胴体４００の電源供給部４２０は、
前記資料格納部１００を前記胴体４００から分離し、外部電源に電源ケーブル８００を介して互いに連結されることにより電源を受けることを特徴とする、請求項１に記載の教育及び遊戯の機能を持つ多機能セラピー装置。
【請求項１９】
前記プログラムエンジン４１０は、
前記資料格納部１００を前記胴体４００から分離し、コンピューターネットワークと互いに連結される連結手段９００によってファームウエアアップグレードまたはネットワーキングすることを特徴とする、請求項１に記載の教育及び遊戯の機能を持つ多機能セラピー装置。
【請求項２０】
前記連結手段９００は、
ＵＳＢケーブル、ＲＦＩＤユニット、赤外線無線通信ユニットまたはＳ−ＡＴＡケーブルであることを特徴とする、請求項１９に記載の教育及び遊戯の機能を持つ多機能セラピー装置。
【発明の詳細な説明】
【技術分野】
【０００１】
本発明は教育及び遊戯の機能を持つ多機能セラピー装置に関し、胴体の両側にそれぞれ備えられた資料格納部及び映像表示部の間に音出力部が装着された構造を採用することで、需要者の所有欲を鼓吹させ、興味誘発による教育成果の向上と情緒涵養、及び心身安定による精神治療などに積極的に対応できるようにした、教育及び遊戯の機能を持つ多機能セラピー装置に関する。
【背景技術】
【０００２】
現代人は精神的ストレスによって多くの苦痛を受けており、このようなストレス解消のために多様な治療器具を利用している。前記のような観点でなされたものとして、本発明者が既に出願した特許文献１の“多機能ランプ”のようなものを挙げることができる。
【０００３】
図５〜図７は特許文献１の全体構成を示すものである。同図に示すように、前記特許文献１は、スピーカー３２と色相選択用スイッチ１２が付設された本体１０と、前記本体１０に設けられた光源部２０と、前記本体１０の内部に設けられた音源部３０と、前記本体１０の内部に設けられた制御部４０と、前記本体１０と結合されるカバー５０とを含む構成である。
【０００４】
ここで、前記本体１０は、制御部４０の制御によって香りを選択的に発散する香り発生チップ６０をさらに備え、前記本体１０の下部には移動用の足車７０が取り付けられる。
【０００５】
しかし、前記特許文献１は単に光を発する照明器具の範疇を外れることができない用途上の限界のため、多様な年齢層の教育、臨床または遊戯などの目的には対応することができない問題点があった。
【先行技術文献】
【特許文献】
【０００６】
【特許文献１】大韓民国登録実用新案第２０−０４２２１６４号公報
【発明の概要】
【発明が解決しようとする課題】
【０００７】
本発明は前記のような問題点を解決するためになされたものであって、需要者の所有欲を鼓吹させ、興味誘発による教育成果の向上と情緒涵養、及び心身安定による精神治療などに積極的に対応することができるようにした、教育及び遊戯の機能を持つ多機能セラピー装置を提供することを目的とする。
【課題を解決するための手段】
【０００８】
前記のような目的を達成するために、本発明は、映像と音を出力するプログラムエンジンと駆動用電源を供給する電源供給部とを内蔵した胴体からなる装置において、前記胴体の一側に着脱可能に装着され、前記プログラムエンジンに電気的に連結され、外部からダウンロードした映像及び音出力用の資料を一時保存する資料格納部；前記胴体の他側に全方向への角度調節可能に装着され、前記プログラムエンジンに電気的に連結され、前記資料格納部の映像出力用資料によって前記プログラムエンジンで映像を出力する映像表示部；及び前記資料格納部と映像表示部との間に装着され、前記プログラムエンジンに電気的に連結され、前記資料格納部の音出力用資料によって前記プログラムエンジンで音を出力する音出力部；を含んでなり、前記映像表示部及び音出力部は別個にまたは同時に稼動される、教育及び遊戯の機能を持つ多機能セラピー装置を提供する。
【０００９】
前記資料格納部と映像表示部間の両側には、前記プログラムエンジンに電気的に連結され、前記映像表示部から出力される映像の明暗と、前記音出力部から出力される音の高低をそれぞれ調節することができ、前記電源供給部を含む胴体のプログラムエンジンの種類をそれぞれ選択することができる調節選択部をさらに備えることができる。
【００１０】
前記調節選択部は、前記資料格納部と映像表示部間の一側に回転可能に装着され、前記映像表示部から出力される映像の明暗と、前記音出力部から出力される音の高低を調節する調節スイッチと、前記資料格納部と映像表示部間の他側に回転可能に装着され、前記電源供給部を含む胴体のプログラムエンジンの種類を選択するかあるいは電源をオンまたはオフする選択スイッチとを含んでなることができる。
【００１１】
前記胴体は、前記電源供給部を含む胴体に回動可能に結合される頭部をさらに備え、前記頭部の端部には前記映像表示部が装着され、前記頭部の両側に前記調節選択部が装着されることができる。
前記頭部は、下側に突設された首の端部に、前記胴体に回動可能に結合される球形ジョイントをさらに備えることができる。
【００１２】
前記資料格納部は、外部器機または前記胴体のプログラムエンジンに電気的に連結される連結片と、前記連結片に電気的に連結され、ダウンロードした映像及び音出力用の資料を一時保存する格納本体とを含んでなることができる。
【００１３】
前記連結片は、ＵＳＢ方式、ＲＦＩＤ方式、赤外線無線通信方式またはＳ−ＡＴＡ方式で前記胴体または外部器機に連結でき、前記格納本体は、ＵＳＢメモリ、フラッシュメモリまたはハードディスクであることができる。
【００１４】
前記映像表示部は、映像を出力するディスプレイパネルと、前記ディスプレイパネルとプログラムエンジンを電気的に連結し、前記プログラムエンジンの駆動情報を映像信号に変換する映像エンコーダーとを含んでなることができる。
前記ディスプレイパネルは、ＲＧＢ ＬＥＤ、ＬＣＤまたはＰＤＰであることができる。
【００１５】
前記音出力部は、前記電源供給部を含む胴体に装着され、音を出力するスピーカーと、前記スピーカーとプログラムエンジンを電気的に連結し、前記プログラムエンジンの駆動情報を音声信号に変換する音声エンコーダーとを含んでなることができる。
【００１６】
前記胴体は、前記胴体の外部に装着されて前記胴体を支持し、前記電源供給部に電気的に連結される複数の支持脚をさらに備え、前記スピーカーは胴体の下側に装着されることができる。
前記支持脚は、それぞれの端部に備えられ、前記スピーカーが装着された胴体の電源供給部に電気的に連結される電極をさらに備えることができる。
【００１７】
前記胴体は、前記支持脚が挿着される支持凹部が形成され、前記スピーカーと対向する支持本体と、前記支持凹部に設置され、前記電極のそれぞれと接触する充電電極と、前記支持本体に内蔵され、前記充電電極に電気的に連結され、外部電源に連結される充電ユニットとを含んでなる充電ドックをさらに備えることができる。
前記充電ドックは、前記支持本体の上面に、前記スピーカーと対向するように部分球面状に凹んでいる反響ボウルをさらに備えることができる。
前記胴体は、前記音出力部と対向する位置に着脱可能に装着され、多様な香りを発散する香り発散部をさらに備えることができる。
【００１８】
前記香り発散部は、前記胴体に形成された定着凹部と結合し、内部空間が形成された発散容器と、前記発散容器に交替可能に収容され、昇華しながら香りを発散する香り発散片と、前記発散容器の上端部に着脱可能に結合され、前記発散容器を仕上げ、多数の発散スリットが貫設されたカバーとを含んでなることができる。
前記胴体の電源供給部は、前記資料格納部を前記胴体から分離し、外部電源に電源ケーブルを介して互いに連結されることにより電源を受けることができる。
【００１９】
前記プログラムエンジンは、前記資料格納部を前記胴体から分離し、コンピューターネットワークと互いに連結される連結手段によってファームウエアアップグレードまたはネットワーキングすることができる。
前記連結手段は、ＵＳＢケーブル、ＲＦＩＤユニット、赤外線無線通信ユニットまたはＳ−ＡＴＡケーブルであることができる。
【発明の効果】
【００２０】
前記のような構成の本発明によれば次のような効果をはかることができる。
【００２１】
まず、胴体の一側に着脱可能な資料格納部と、胴体の他側に全方向への角度調節可能な映像表示部と、資料格納部と映像表示部の間に装着された音出力部とを含む構成を採用することで多様なキャラクターの形状に製作することができるので、需要者の所有欲を鼓吹させることができる。
【００２２】
そして、本発明は、映像表示部と音出力部が別個にあるいは同時に稼動されるようにすることで、青少年層の興味誘発による教育成果を向上させることができることはもちろんのこと、青年層や壮年層と老年層には、胴体に香り発散部を付け加えることで、情緒涵養及び心身安定による精神治療に積極的に対応することもできるものである。
【００２３】
また、本発明は、資料格納部を胴体から分離してネットワークケーブルに連結し、プログラムエンジンに保存される使用者の音出力部を通じて出力される各種の音源の選択性向と、香り発散部を通じて発散される香りの選択性向などを把握して積極的な臨床治療などに活用することもできる。
【図面の簡単な説明】
【００２４】
【図１】本発明の一実施例による教育及び遊戯の機能を持つ多機能セラピー装置の全体構成を示すブロック線図である。
【図２】本発明の一実施例による教育及び遊戯の機能を持つ多機能セラピー装置の全体構成を示す斜視図である。
【図３】図２のＡ及びＢ方向に見た概念図である。
【図４】図２のＡ及びＢ方向に見た概念図である。
【図５】従来技術の全体構成を示す概念図及びブロック線図である。
【図６】従来技術の全体構成を示す概念図及びブロック線図である。
【図７】従来技術の全体構成を示す概念図及びブロック線図である。
【発明を実施するための形態】
【００２５】
以下、添付図面に基づいて本発明の好適な実施例について説明する。
【００２６】
図１は本発明の一実施例による教育及び遊戯の機能を持つ多機能セラピー装置の全体構成を示すブロック線図、図２は本発明の一実施例による教育及び遊戯の機能を持つ多機能セラピー装置の全体構成を示す斜視図、図３及び図４は図２のＡ及びＢ方向に示す概念図である。
本発明は、図示のように、大別して、資料格納部１００、映像表示部２００及び音出力部３００を含む構成である。
【００２７】
ここで、胴体４００には、数字、文字または図形と、多様な色相の光を含む映像を出力し、音声または音響を含む音を出力するプログラムエンジン４１０と、駆動用電源を供給する電源供給部４２０とを内蔵している。前記胴体４００はいずれの形状及び構造にも適用可能であろう。
【００２８】
この際、前記プログラムエンジン４１０は特に示していないが、中央処理装置と入力された資料を処理する資料処理部などを含む構成でなり、後述する映像表示部２００及び音出力部３００を通じて映像と音を出力する駆動用オペレーティングシステムの形態である。このような映像と音の出力過程などは当業者には周知慣用の技術なので、その詳細な説明は省略する。
【００２９】
まず、本発明による資料格納部１００は、前記胴体４００の一側に備えられ、外部からダウンロードした映像及び音出力用の資料を一時保存し、前記プログラムエンジン４１０に電気的に連結されるものである。
【００３０】
そして、本発明による映像表示部２００は、前記胴体４００の他側に備えられ、前記資料格納部１００に入力された資料によって前記プログラムエンジン４１０によって映像を出力する役目を果たすものである。
【００３１】
そして、本発明による音出力部３００は、前記資料格納部１００と映像表示部２００との間に装着され、前記資料格納部１００の音出力用資料によって前記プログラムエンジン４１０によって音を出力する役目を果たすことになる。
【００３２】
したがって、本発明による教育及び遊戯の機能を持つ多機能セラピー装置は、前記映像表示部２００と音出力部３００が別個に稼動されるかあるいは同時に稼動されるようにすることもできる。
【００３３】
本発明は前記のような構成によって適用実施が可能であり、興味誘発と教育目的を倍加させるために、一実施例として、図２〜図４に示すような動物やキャラクター形状に適用することができる。以下、その具体的な実施例を添付図面に基づいて詳細に説明する。
【００３４】
本発明による資料格納部１００は、前記胴体４００の一側に着脱可能に装着され、前記プログラムエンジン４１０に電気的に連結され、外部からダウンロードした映像及び音出力用の資料を一時保存する役目を果たすもので、大別して連結片１１０と格納本体１２０とからなる。
【００３５】
前記連結片１１０は外部器機（図示せず）または前記プログラムエンジン４１０に電気的に連結され、前記外部器機から資料を受け取って前記プログラムエンジン４１０と映像または音出力用の資料を電気的に連結する役目を果たすことになり、好ましくはＵＳＢ方式、ＲＦＩＤ方式、赤外線無線通信またはＳ−ＡＴＡ方式などを採用することができる。
【００３６】
そして、前記格納本体１２０は、前記連結片１１０に電気的に連結され、前記外部器機からダウンロードした映像及び音出力用の資料を一時保存する空間を提供することになり、好ましくはＵＳＢメモリ、ＳＤ、ＸＤ、ＣＦカードなどのようなフラッシュメモリ、またはハードディスクなどを採用することができるのは言うまでもない。
【００３７】
ここで、前記連結片１１０及び格納本体１２０は前述した連結方式と保存方式に限らず、多様な新技術による連結方式と保存方式を適切に採用して実施することができる。
【００３８】
図３のように、前記資料格納部１００を前記胴体４００から分離し、外部電源（ＰＷ）に電源ケーブル８００を介して互いに連結されることにより、電源を受けることができる。
この際、前記胴体４００には特に示していないが、現在の電源状態、つまり電源の残量状態及び充電状態を表示するランプを装着することもできる。
【００３９】
また、図３のように、前記資料格納部１００を前記胴体４００から分離し、コンピューターネットワーク（ＣＮ）と前記プログラムエンジン４１０を連結手段９００を介して互いに連結することにより、ファームウエアアップグレードまたはネットワーキングが可能になる。
【００４０】
前記連結手段９００は、ＵＳＢケーブル、ＲＦＩＤユニット、赤外線無線通信ユニットまたはＳ−ＡＴＡケーブルを含む多様なものを採用して互いに連結することができる。
【００４１】
したがって、使用者は前記連結手段９００を介して周期的に新しい駆動用プログラムエンジン４１０をアップグレードすることができるのはもちろんのこと、ネットワーキングを介しての臨床治療も可能になる。
【００４２】
すなわち、使用者は自分が主に選択した音と映像などのデータをネットワーキングを通じて臨床治療機関に伝達することで、現在の心身状態に対する診断及び処方などの対処方案を講ずることができる。
【００４３】
一方、本発明による映像表示部２００は、前記胴体４００の他側に全方向に角度調節可能に装着され、前記プログラムエンジン４１０に電気的に連結され、前記資料格納部１００の映像出力用資料によって前記プログラムエンジン４１０で映像を出力することになり、大別してディスプレイパネル２１０と映像エンコーダー２２０とからなる。
【００４４】
ここで、前記ディスプレイパネル２１０は映像出力用資料による映像を出力するもので、ＲＧＢ ＬＥＤ、ＬＣＤまたはＰＤＰを含む多様な方式のものを採用して使用することができる。
【００４５】
この際、前記映像エンコーダー２２０は、前記ディスプレイパネル２１０とプログラムエンジン４１０を電気的に連結し、前記プログラムエンジン４１０の駆動情報を映像信号に変換する役目を果たす。
【００４６】
また、前記映像表示部２００は前記胴体４００と回動可能に結合される頭部４３０の端部に装着されることが好ましく、全方向への角度調節を可能にするために、前記頭部４３０の下側には首４３２が突設され、前記首４３２の端部には、前記胴体４００と回動可能に結合されるように、球形ジョイント４３４がさらに備えられることが好ましい。
【００４７】
前記球形ジョイント４３４と結合する胴体４００の接触部位には、前記球形ジョイント４３４と電気的に接触するように、導電体（図示せず）を装着することもできる。
【００４８】
したがって、使用者は前記ディスプレイパネル２１０を通じて出力される多様な色相の光によって本発明による映像表示部２００を照明器具の用途に使用することができ、後述する音出力部３００から出力される音と共に多様な種類の数字、文字または図形などの映像出力を楽しむこともできる。
【００４９】
一方、本発明による音出力部３００は、前記資料格納部１００と映像表示部２００の間に装着され、前記プログラムエンジン４１０に電気的に連結され、前記資料格納部４１０の音出力用資料によって前記プログラムエンジン４１０で音を出力する役目を果たすもので、大別してスピーカー３１０（図３参照）と音声エンコーダー３２０とからなる。
【００５０】
前記スピーカー３１０は胴体４１０に装着されて音を出力する役目を果たすものであり、前記音声エンコーダー３２０は前記スピーカー３１０とプログラムエンジン４１０を電気的に連結し、前記プログラムエンジン４１０の駆動情報を音声信号に変換する役目を果たす。
ここで、前記音声エンコーダー３２０及び映像エンコーダー２１０についての詳細な構造及び作動過程の説明は便宜上省略する。
【００５１】
したがって、使用者は、前述したように、前記スピーカー３１０を通じて出力される音に連動して、前記ディスプレイパネル２１０を通じて出力される映像を一致させることで語学教育などに活用することができることになる。
【００５２】
例えば、前記スピーカー３１０からは特定文字に対応する発音が出力されるようにし、前記ディスプレイパネル２１０には前記特定文字が表示されるようにすることで、視聴覚を活用した語学の学習が可能になるものである。
【００５３】
一方、前記資料格納部１００と映像表示部２００間の両側には、前記プログラムエンジン４１０に電気的に連結され、前記映像表示部２００から出力される映像の明暗と前記音出力部３００から出力される音の高低をそれぞれ調節し、前記電源供給部４２０を含む胴体４００のプログラムエンジン４１０の種類をそれぞれ選択することができる調節選択部５００がさらに備えられることが好ましい。
【００５４】
前記調節選択部５００は、より詳しくは、前記資料格納部１００と映像表示部２００間の両側にそれぞれ回転可能に装着される調節スイッチ５１０と選択スイッチ５２０とからなる。
【００５５】
すなわち、前記調節スイッチ５１０は前記資料格納部１００と映像表示部２００間の一側に回転可能に装着され、前記映像表示部２００から出力される映像の明暗と前記音出力部３００から出力される音の高低を調節する役目を果たすことになる。
【００５６】
そして、前記選択スイッチ５２０は前記資料格納部１００と映像表示部２００間の他側に回転可能に装着され、前記電源供給部４２０を含む胴体４００のプログラムエンジン４１０の種類を選択するかあるいは電源をオンまたはオフする役目を果たすことになる。
【００５７】
したがって、使用者は前記選択スイッチ５２０を操作して電源をオンまたはオフし、一方向に回して映像と音をそれぞれまたは同時に出力するようにしながら、前記調節スイッチ５１０を一方向に回して映像の明暗と音の高低を適切に調節することができることになる。
ここで、前記調節スイッチ５１０及び選択スイッチ５２０は回転操作または押し操作などの多様な方法で操作することができる。
【００５８】
すなわち、前記調節スイッチ５１０は回転操作で映像の明暗または音の高低を調節し、調節が済むと、押し操作で現在状態を保持することができ、前記選択スイッチ５２０は回転操作で映像出力または音出力を選択し、選択が済むと、１回または複数回の押し操作で前記映像出力または音出力をそれぞれまたは同時に実施することができることになる。
【００５９】
そして、前記のような構成の調節選択部５００は、図２〜図４のように、前記頭部４３０の両側にそれぞれ前記調節スイッチ５１０及び選択スイッチ５２０を装着するなどの適切な変形と応用を加えることができる。
【００６０】
また、前記のような構成の調節選択部５００は、調節スイッチ５１０及び選択スイッチ５２０のそれぞれに選択または調節のための回転動作によって多様な色相に変えながら発光する照明装置を内蔵するなどの変形と応用も加えることができるのはいうまでもない。
【００６１】
一方、前記胴体４００には、前記胴体４００の外部に装着されて前記胴体４００を支持し、前記電源供給部４２０に電気的に連結される複数の支持脚４５０がさらに備えられる。この際、前記スピーカー３１０は胴体４００の下側に装着されることが好ましい。
ここで、前記支持脚４５０は前記胴体４００を支持するとともに別途の手段によって電源が充電されるようにする役目を果たすこともできる。
【００６２】
このために、前記支持脚４５０のそれぞれの端部には、図３のように、前記胴体４００の電源供給部４２０に電気的に連結される電極４５２をさらに備え、電源充電のための別途の手段は前記支持脚４５０と接触する充電ドック６００で具現することができ、前記充電ドック６００は、大別して、支持本体６１０、充電電極６２０及び充電ユニット６３０でなる。
【００６３】
前記充電ドック６００は本発明による教育及び遊戯の機能を持つ多機能セラピー装置を安定的に支持するとともに充電及び電源供給を兼ねる役目を果たすことになる。
【００６４】
前記支持本体６１０は前記支持脚４５０が収納される支持凹部６１２を持ち、前記スピーカー３１０と対向する板状のものであり、前記充電電極６２０は前記支持凹部６１２に設置され、前記電極４５２のそれぞれと接触して電気的に互いに連結され、前記充電ユニット６３０は前記支持本体６１０に内蔵されて前記充電電極６２０に電気的に連結され、外部電源（ＰＷ）に充電ケーブル６５０を介して連結されるものである。
【００６５】
したがって、使用者は、電源の充電のために、前述したように前記胴体４００から資料格納部１００を分離し、電源ケーブル８００を介して充電または電源供給を行うこともでき、前記充電ドック６００による充電または電源供給を行うこともできる。
【００６６】
すなわち、使用者は、資料格納部１００の資料による映像または音を出力しているうちに電源の残量が不足になれば、前記充電ドック６００に前記胴体４００の支持脚４５０を挿着させて電気的接触を維持して充電を実施することで、映像及び音の出力と充電を同時に実施することができることになる。
また、前記充電ドック６００には、特に示していないが、現在の電源状態、つまり電源の残量状態及び充電状態を表示するランプを装着することもできる。
【００６７】
一方、前記充電ドック６００には、前記支持本体６１０の上面に前記スピーカー３１０と対向するように部分球面状に凹んでいる反響ボウル６４０がさらに備えられることにより、図４のように、前記スピーカー３１０から出力される音（ＳＷ）が前記反響ボウル６４０で反射されて曲面状の胴体４００の表面に沿って殷々と広がる音響効果を感じることができることになる。
【００６８】
ここで、前記充電ドック６００は、必要及び趣向によって、前記反響ボウル６４０の縁部または前記スピーカー３１０の縁部に沿って照明装置を装着することで、音（ＳＷ）の出力によって色相が変わる光を発光するようにするなどの多様な視覚効果を具現することもできる。
【００６９】
一方、前記胴体４００には、前記音出力部３００のスピーカー３１０と対向する位置、より詳しくは前記胴体４００の上側に着脱可能に装着されて多様な香りを発散する香り発散部７００がさらに備えられることが好ましく、前記香り発散部７００（図２の拡大部参照）は、大別して、発散容器７１０、香り発散片７２０及びカバー７３０でなる。
【００７０】
ここで、前記発散容器７１０は前記胴体４００に形成された定着凹部４６０と結合し、内部空間をなす円筒状のものであり、前記香り発散片７２０は前記発散容器７１０に交替可能に収容され、昇華しながら香りを発散するものであり、前記カバー７３０は前記発散容器７１０の上端部に着脱可能に結合されて前記発散容器７１０を仕上げ、多数の発散スリット７３２が貫設されたものである。
【００７１】
この際、前記香り発散部７００は前述したような固形の香り発散片７２０を採用するか、特に示していないが液状のものを容器に収容して薫蒸する方法で香りを発散させるなどの変形及び応用も可能であり、このために、前記胴体４００に別途の加熱または薫蒸装置を装着する実施も可能である。
【００７２】
したがって、使用者は、前記映像表示部２００と音出力部３００による映像及び音の出力と同時に、雰囲気及び身体状態に似合う香りを選択して前記香り発散部７００を通じて発散するようにすることで、視聴覚及び嗅覚による心身の安定をはかることもできる。
前記のような構成の本発明による教育及び遊戯の機能を持つ多機能セラピー装置の作動例を図１〜図４に基づいて簡略に説明する。
【００７３】
まず、使用者は、胴体４００から資料格納部１００を分離し、外部器機から映像及び音出力用の資料をダウンロードした後、再び前記胴体４００に結合した後、頭部４３０の両側にそれぞれ備えられた選択スイッチ５２０を操作して電源をオンさせる
【００７４】
その後、使用者は、胴体４００に内蔵されたプログラムエンジン４１０の駆動プログラム、つまり音または映像出力用プログラムを前記選択スイッチ５２０の回転操作または押し操作で別個にまたは同時に選択し、出力される映像及び音は調節スイッチ５１０の回転操作または押し操作で調節する。
同時に、使用者は所望の香りを選択し、香り発散部７００を前記胴体４００の上部に装着することで、香りが発散されるようにする。
【００７５】
この際、使用者は、電源の残量が不足になれば、別に備えられた充電ドック６００に前記胴体４００の支持脚４５０を挿着して、前記支持脚４５０の端部に備えられた電極４５２を通じて充電を実施することになる。
その後、使用者は前記選択スイッチ５２０を操作して電源をオフさせて作動を完了することになる。
【００７６】
以上のように、本発明は、需要者の所有欲を鼓吹させ、興味誘発による教育成果の向上と情緒涵養、及び心身安定による精神治療などに積極的に対応することができるようにした教育及び遊戯の機能を持つ多機能セラピー装置を提供することを基本的な技術的思想とする。
【００７７】
そして、当該技術分野での通常の知識を持った者であれば、本発明の基本的な技術的思想の範囲内で、本発明による教育及び遊戯の機能を持つ多機能セラピー装置を教育用または遊戯用玩具または臨床治療用のセラピー器具に適用することができるなど、他の多くの変形及び応用も可能であろう。
【産業上の利用可能性】
【００７８】
本発明は、需要者の所有欲を鼓吹させ、興味誘発による教育成果の向上と情緒涵養、及び心身安定による精神治療などに積極的に対応することができるようにした、教育及び遊戯の機能を持つ多機能セラピー装置に適用可能である。
【符号の説明】
【００７９】
１００    資料格納部
２００    映像表示部
３００    音出力部
４００    胴体
４１０    プログラムエンジン
４２０    電源供給部
５００    調節選択部
６００    充電ドック
７００    香り発散部
【図１】
2010264240.tif 000003
【図２】
2010264240.tif 000004
【図３】
2010264240.tif 000005
【図４】
2010264240.tif 000006
【図５】
2010264240.tif 000007
【図６】
2010264240.tif 000008
【図７】
2010264240.tif 000009